(57)【要約】【課題】移動ケーブルを用いて応急回路をスピーディ、容易、かつ安全に構成することが可能な移動ケーブル接続用アダプタを提供すること。【解決手段】電気設備側接続部１２とケーブル側接続部１６とを有し、電気設備側接続部１２には、スイッチギヤ内の接続端子５０に接続される電気設備側平板接続部１２ａと、これに連続して形成された第２円錐台接続部１２ｂとを設けた。ケーブル側接続部１６には、移動ケーブル５２のケーブル端子５４と接続されるケーブル側平板接続部１６ａと、これに連続して形成され底面側の開放された中空の第１円錐台接続部１６ｂとを設けた。そして、第１円錐台接続部１６ｂの内周面に第２円錐台接続部１２ｂの外周面を面接触させ固定することにより、移動ケーブル５２とスイッチギヤ内の接続端子５０との電気的な接続が為されるようにした。【選択図】図１
2010279213.tif 000002
【特許請求の範囲】
【請求項１】
電気設備内に設けられた接続端子と移動ケーブルとの接続に用いる移動ケーブル接続用アダプタにおいて、
前記電気設備内の接続端子に接続される電気設備側接続部と、
前記移動ケーブルに接続されるケーブル側接続部と、を有し、
前記電気設備側接続部又は前記ケーブル側接続部の何れか一方には、底面側の解放された中空の円錐台形状に形成された第１円錐台接続部が設けられ、
前記電気設備側接続部又は前記ケーブル側接続部の他方には、前記第１円錐台接続部の内周面に面接触可能な外周面を有する第２円錐台接続部が設けられ、
前記電気設備内の接続端子と前記移動ケーブルとの接続は、
前記第２円錐台接続部の外周面を前記第１円錐台接続部の内周面に面接触させた状態で固定されて行われることを特徴とする移動ケーブル接続用アダプタ。
【請求項２】
前記第１円錐台接続部と前記第２円錐台接続部との固定は、
前記第１円錐台接続部又は前記第２円錐台接続部の何れか一方の頂面に設けられた貫通穴にボルトを通し、該ボルトを前記第１円錐台接続部又は前記第２円錐台接続部の他方の頂面に設けられた雌ネジ部に螺合させることにより行われることを特徴とする請求項１に記載の移動ケーブル接続用アダプタ。
【請求項３】
前記ケーブル側接続部には、前記第１円錐台接続部又は前記第２円錐台接続部と接続される編組ケーブルが組み込まれたことを特徴とする請求項１又は２に記載の移動ケーブル接続用アダプタ。
【発明の詳細な説明】
【技術分野】
【０００１】
本発明は、移動ケーブル接続用アダプタ、特に応急的に電気設備内の接続端子と移動ケーブルとを接続するための移動ケーブル接続用アダプタに関する。
【背景技術】
【０００２】
電気設備、例えば、変電所等には電気回路の接続切替等を行うスイッチギヤが設置されている。そのスイッチギヤは、内部に各種の高圧機器が収納され、それぞれの高圧機器の有する機能が安全に果されるように構築されている。通常、高圧機器と高圧機器との接続は接続端子若しくは接続部を介してケーブル、高圧バー等で行われている。
【０００３】
ここで、スイッチギヤ内で使用している高圧機器、例えば変圧器が経年劣化等で故障した場合、予備変圧器及び移動ケーブルを用いて故障した変圧器をバイパスする応急回路が組まれる。この応急回路により応急運転を行っている間に、新しい変圧器と取り換えること、若しくは故障した変圧器を修理すること等が行われる。ここで、移動ケーブルは、電流・電圧等の規格を満たしたものが使用される。
【０００４】
通常、移動ケーブルを用いて応急回路を構成する場合、移動ケーブルはスイッチギヤ内の接続端子に対して接続される。図５は、移動ケーブル５２をスイッチギヤ内の接続端子５０に接続した様子を示す説明図であり、同図（ａ）は概略側面図、同図（ｂ）は概略正面図である。スイッチギヤ内の接続端子５０は、スイッチギヤ内の絶縁支持物、例えば碍子（図示していない）等に固定されている。移動ケーブル５２は内部の芯線５２ａと、この芯線５２ａを絶縁被覆している絶縁物と、この絶縁物を覆う外被５２ｃとからなっており、芯線５２ａの先端には、スイッチギヤ内の平板状の接続端子５０と接触面積を大きくして接続できるように平板状に構成されたケーブル端子５４が取り付けられる。ケーブル端子５４を、このように平板状にして接続端子５０に接続することにより、接触面積を大にして流すことのできる電流値を大きくしている。なお、ケーブル端子５４と移動ケーブル５２の芯線５２ａとの接続は、例えば圧縮等により行われる。また、移動ケーブル５２の芯線５２ａとケーブル端子５４との接続が終了した後に、この圧縮等により接続した部分には通常、絶縁テープが巻かれるが、図面ではこの絶縁テープは省略している。以下に示す図面も同様である。
【０００５】
上記の移動ケーブル５２をスイッチギヤ内の接続端子５０に接続するには、移動ケーブル５２のケーブル端子５４が取り付けられた端部を、スイッチギヤ内の接続すべき接続端子５０の位置まで、外被５２ｃを把持しながら搬入し、移動ケーブル５２のケーブル端子５４とスイッチギヤの接続端子５０の互いの接続面を合わせ、ボルト５６とナット５７により堅固に固定するという作業が要求される。したがって、互いの接続面が合わない場合には、移動ケーブル５２の位置を変えたり、捻ったりする必要がある。
【０００６】
また、他の状況としては、架空配電線に落雷等の事故があった場合に、需要家の停電を防止し応急送電を行うために、上記架空配電線にバイパスケーブルを接続して需要家の設備に電力の供給が行われる。バイパスケーブルを用いて架空配電線と需要家の設備を接続して応急回路を構成する際には、前述の移動ケーブルを用いて応急回路を構成する場合と同様に、接続箇所における接続部位の面合わせ作業等が必要となる。特許文献１には、この様な架空配電線のバイパスケーブル用のアダプタが開示されている。
【先行技術文献】
【特許文献】
【０００７】
【特許文献１】特開２００５−３４１７２９号公報
【発明の概要】
【発明が解決しようとする課題】
【０００８】
上記の図５に示した移動ケーブル５２を用いて応急回路を組む場合に、移動ケーブル５２の先端に取り付けられたケーブル端子５４と、スイッチギヤ内の接続端子５０の接続面を的確に合わせることが容易ではないという問題があった。すなわち、スイッチギヤ内の接続端子５０は固定されており、移動ケーブル５２のケーブル端子５４をその接続端子５０の接続面に合わせる必要があるが、移動ケーブル５２は径が太く重量があるので、先端に取り付けられた平板状のケーブル端子５４が、スイッチギヤの接続端子５０の接続面に対して角度を為している場合には、移動ケーブル５２を再度引き回して角度を調整することが容易ではなかった。したがって、移動ケーブル５２を用いた応急回路の構成には、時間と手間が掛かり、作業コストが高くなっていた。なお、特許文献１に開示されているアダプタの技術的な思想を、移動ケーブルに適用することも可能であるが、この特許文献１のアダプタを用いたとしても互いの接続面を平行に合わせる必要があり、上述の課題は解決されない。
【０００９】
本発明は、上記課題に鑑みてなされたものであり、その目的は、移動ケーブルを用いて応急回路をスピーディ、容易、かつ安全に構成することが可能な移動ケーブル接続用アダプタを提供することにある。
【課題を解決するための手段】
【００１０】
上記目的を達成するため、請求項１に記載の移動ケーブル接続用アダプタは、
電気設備内に設けられた接続端子と移動ケーブルとの接続に用いる移動ケーブル接続用アダプタにおいて、
前記電気設備内の接続端子に接続される電気設備側接続部と、前記移動ケーブルに接続されるケーブル側接続部と、を有し、前記電気設備側接続部又は前記ケーブル側接続部の何れか一方には、底面側の解放された中空の円錐台形状に形成された第１円錐台接続部が設けられ、前記電気設備側接続部又は前記ケーブル側接続部の他方には、前記第１円錐台接続部の内周面に面接触可能な外周面を有する第２円錐台接続部が設けられ、前記電気設備内の接続端子と前記移動ケーブルとの接続は、前記第２円錐台接続部の外周面を前記第１円錐台接続部の内周面に面接触させた状態で固定されて行われることを特徴とする。
【００１１】
この構成によれば、第２円錐台接続部が第１円錐台接続部内に装填された状態では、第２円錐台接続部の外周面は第１円錐台接続部の内周面に面接触する。その状態で固定されると、第１円錐台接続部と第２円錐台接続部は接触面積を大きくして接続されるので、安心して大電流を流すことが可能となる。更に、第１円錐台接続部と第２円錐台接続部との関係は、回転軸を中心に３６０度回転させることが可能な関係である。したがって、その回転角度を調整して取付固定することができる。これにより、移動ケーブルの位置を変えたり、捻ったりして接続面を合わせる必要がなく、移動ケーブルを用いた応急回路をスピーディ、容易、かつ安全に構成することが可能である。なお、第１円錐台接続部の開放底面は上下方向の何れでも良い。
【００１２】
請求項２に記載の移動ケーブル接続用アダプタは、請求項１に記載の移動ケーブル接続用アダプタにおいて、
前記第１円錐台接続部と前記第２円錐台接続部との固定は、前記第１円錐台接続部又は前記第２円錐台接続部の何れか一方の頂面に設けられた貫通穴にボルトを通し、該ボルトを前記第１円錐台接続部又は前記第２円錐台接続部の他方の頂面に設けられた雌ネジ部に螺合させることにより行われることを特徴とする。
【００１３】
この構成によれば、第１円錐台接続と第２円錐台接続部との固定は、第１円錐台接続部と第２円錐台接続部とを重ね合わせた後に、貫通穴からボルトを通して雌ネジ部に螺合させれば良いので、簡単かつ確実に第１円錐台接続と第２円錐台接続部とを固定することが可能である。
【００１４】
請求項３に記載の移動ケーブル接続用アダプタは、請求項１又は２に記載の移動ケーブル接続用アダプタにおいて、
前記ケーブル側接続部には、前記第１円錐台接続部又は前記第２円錐台接続部と接続される編組ケーブルが組み込まれたことを特徴とする。ここで、編組ケーブルは、多数の撚り線を編んだものであり、その形成された平板状のケーブルは可撓性を有する。したがって、移動ケーブルのケーブル端子が第１円錐台接続部又は第２円錐台接続部の回転軸に対して傾いていても、その角度ズレを編組ケーブルが吸収することができるので、第１円錐台接続部と第２円錐台接続部を容易に接続固定することが可能である。
【発明の効果】
【００１５】
本発明の移動ケーブル接続用アダプタによれば、大電流が流れる応急回路の構成を、移動ケーブルを用いてピーディ、容易、かつ安全に行うことが可能である。したがって、変電所等の電気設備における応急的な電気作業の効率及び信頼性を向上させることができる。
【図面の簡単な説明】
【００１６】
【図１】本発明の移動ケーブル接続用アダプタの第１の実施の形態に係り、概略平面図（同図（ａ））と概略側面図（同図（ｂ））である。
【図２】本発明の移動ケーブル接続用アダプタの第２の実施の形態に係り、概略側面図である。
【図３】本発明の移動ケーブル接続用アダプタの第３の実施の形態に係り、概略側面図である。
【図４】本発明の移動ケーブル接続用アダプタの第４の実施の形態に係り、概略側面図である。
【図５】移動ケーブルとスイッチギヤ内の接続端子との接続の様子を示す図であり、概略側面図（同図（ａ））と概略正面図（同図（ｂ））である。
【発明を実施するための形態】
【００１７】
［第１の実施の形態］
以下、本発明の第１の実施の形態について図面を参照して説明する。図１は、第１の実施の形態に係る移動ケーブル接続用アダプタの概略平面図（同図（ａ））と概略側面図（同図（ｂ））である。ただし、図１（ｂ）では一部を断面で示している。なお、上記背景技術で述べた構成と同様の要素には同一の符号を付し、その詳細は省略する。
【００１８】
移動ケーブル５２は、芯線５２ａと絶縁物と外被５２ｃとからなり、芯線５２ａの先端には平板状のケーブル端子５４が取り付けられている。芯線５２ａとケーブル端子５４との取り付けは、圧着により行われている。また、前述したように、圧縮により接続した部分に通常巻かれる絶縁テープは図示を省略している。
【００１９】
移動ケーブル接続用アダプタ１０は、電気設備側の構成要素と移動ケーブル側の構成要素とを有している。まず、電気設備側の構成要素は、電気設備内に設置されているスイッチギヤ内の接続端子５０に接続される電気設備側接続部１２である。電気設備側接続部１２には、接続端子５０に接続される平板状に形成された電気設備側平板接続部１２ａと、これに連続して略直角に伸長する底面側が開放された中空の第２円錐台接続部１２ｂとが設けられている。第２円錐台接続部１２ｂと電気設備側平板接続部１２ａとは溶接等により固定されている。
【００２０】
電気設備側平板接続部１２ａは、接続端子５０と面で接触し、接続端子５０と略同じ若しくは少し小さな面積を有している。電気設備側平板接続部１２ａと接続端子５０との接続はボルトとナットにより堅固に行われる。また、電気設備側平板接続部１２ａの厚さは使用する移動ケーブル５２の重量等を考慮して最適に決められている。
【００２１】
第２円錐台接続部１２ｂは、電気設備側平板接続部１２ａと同じ厚さを有し、底面側が開放されている中空の円錐台形状を有している。底面は上を向いており、それに対向する面、すなわち頂面の中心には、後述する第１円錐台接続部と接続・固定するためのボルト２２に螺合する雌ネジ部２０が形成されている。
【００２２】
次に、移動ケーブル側の構成要素は、移動ケーブル５２の芯線５２ａに接続されたケーブル端子５４に接続されるケーブル側接続部１６である。ケーブル側接続部１６には、ケーブル端子５４に接続される平板状に形成されたケーブル側平板接続部１６ａと、これに連続して伸長する底面側が開放された中空の第１円錐台接続部１６ｂとが設けられている。ケーブル側平板接続部１６ａは、第１円錐台接続部１６ｂの底面と対向する面、すなわち頂面に、中心をずらして固定されている。第１円錐台接続部１６ｂとケーブル側平板接続部１６ａとは溶接等により固定されている。
【００２３】
ケーブル側平板接続部１６ａは、ケーブル端子５４と面で接触し、ケーブル端子５４と略同じ若しくは少し大きな面積を有している。ケーブル側平板接続部１６ａとケーブル端子５４との接続はボルトとナットにより堅固に行われる。また、ケーブル側平板接続部１６ａの厚さは使用する移動ケーブル５２の重量等を考慮して最適に決められている。
【００２４】
第１円錐台接続部１６ｂは、ケーブル側平板接続部１６ａと同じ厚さを有し、底面側が開放されている中空の円錐台形状を有している。底面は上を向いており、底面に対向する面、すなわち頂面の中心には、第２円錐台接続部と接続・固定するためのボルト２２を貫通させるための貫通穴が形成されている。
【００２５】
上記の第１円錐台接続部１６ｂと第２円錐台接続部１２ｂを、それぞれの底面を同じ方向にして重ね合わせると、第１円錐台接続部１６ａの内周面は第２円錐台接続部１２ｂの外周面に面接触するように構成されている。したがって、第１円錐台接続部１６ｂの内周面と第２円錐台接続部１２ｂの外周面は面で接触されるので、十分の接続面積を確保でき、所定の電流を安全に流すことが可能である。なお、第１円錐台接続部１６ｂと第２円錐台接続部１２ｂとの固定は、前述のボルト２２を締め付けることにより、簡単かつ確実に行うことができる。
【００２６】
第１円錐台接続部１６ｂは、第２円錐台接続部１２ｂに対して、回転軸を中心に３６０度回転することが可能な関係にある。したがって、移動ケーブル５２のケーブル端子５４の面の角度に合わせて、ケーブル側接続部１６を図１（ｂ）の矢印Ａで示したように回転することができる。
【００２７】
以下、移動ケーブル５２とスイッチギヤ内の接続端子５０との接続作業について説明する。まず、移動ケーブル５２のケーブル端子５４が取り付けられている端部を接続端子５０のある位置まで搬入する。そして、スイッチギヤ内の接続端子５０に、電気設備側接続部１２の電気設備側平板接続部１２ａを取り付ける。取り付けはボルトとナットにより行う。次に、移動ケーブル５２のケーブル端子５４にケーブル側接続部１６のケーブル側平板接続部１６ａを取り付ける。取り付けはボルトとナットにより行う。
【００２８】
次に、第１円錐台接続部１６ｂを、移動ケーブル５２の外被５２ｃを把持しながら、第２円錐台接続部１６ｂに下方から回転調整をすることなしに重ね合わせ、ボルト２２を第１円錐台接続部１６ｂの貫通穴から通して、第２円錐台接続部１２ｂの雌ネジ部２０に螺合させる。そのようにして、移動ケーブル５２をスイッチギヤ内の接続端子５０に簡単に接続することができる。
【００２９】
したがって、第１の実施の形態の移動ケーブル接続用アダプタによれば、移動ケーブルで応急回路を構成する場合に、移動ケーブルとスイッチギヤ内の接続端子とを簡単かつスムーズに接続することが可能であり、第１円錐台接続部と第２円錐台接続部とは十分な接触面積を確保できるので所定の電流を安全に流すことが可能である。したがって、作業時間の短縮化、安全化が図られることとなり、構成した応急回路の信頼性も保証される。
【００３０】
［第２の実施の形態］
本実施の形態では、第１の実施の形態で示した第１円錐台接続部及び第２円錐台接続部の底面が下を向いている場合について説明する。図２にその移動ケーブル接続用アダプタの概略側面図を示す。但し、一部断面で示す。
【００３１】
第１の実施の形態と異なる点を説明すれば、電気設備側接続部１３には、スイッチギヤ内の接続端子５０に接続される電気設備側平板接続部１３ａと、これに連続して略直角に伸長する底面側が開放された中空の第１円錐台接続部１３ｂとが設けられている。ケーブル側接続部１７には、ケーブル端子５４に接続される平板状に形成されたケーブル側平板接続部１７ａと、これに連続して伸長する底面側が開放された中空の第２円錐台接続部１７ｂとが設けられている。ケーブル側平板接続部１７ａは、第２円錐台接続部１７ｂの内部の底面に、中心をずらして固定されている。これらの固定は溶接等により行われている。
【００３２】
その他の構成は第１の実施の形態と同様である。したがって、本実施の形態においても、第１円錐台接続部１３ｂと第２円錐台接続部１７ｂとの面接触により接続が行われ、第２円錐台接続部１７ｂは回転軸に対して３６０度回転可能である。したがって、移動ケーブルとスイッチギヤ内の接続端子とを簡単かつスムーズに接続することが可能であり、所定の電流を安全に流すことが可能である。
【００３３】
［第３の実施の形態］
第１の実施の形態では、第１円錐台接続部がケーブル側接続部に設けられている場合について説明した。本実施の形態では、第１円錐台接続部が電気設備側接続部に形成されている場合について説明する。図３にその移動ケーブル接続用アダプタ１０の概略側面図を示す。但し、一部断面で示している。
【００３４】
第１の実施の形態と異なる点を説明すれば、電気設備側接続部１４には、スイッチギヤ内の接続端子５０に接続される電気設備側平板接続部１４ａと、これに連続して略直角に伸長する底面側が開放された中空の第１円錐台接続部１４ｂとが設けられている。ケーブル側接続部１８には、ケーブル端子５４に接続される平板状に形成されたケーブル側平板接続部１８ａと、これに連続して略直角に伸長する底面側が開放された中空の第２円錐台接続部１８ｂとが設けられている。
【００３５】
斯かる構成とすることにより、移動ケーブル５２とスイッチギヤ内の接続端子５０との接続作業において、予め移動ケーブル５２のケーブル端子５４とケーブル側接続部１８のケーブル側平板接続部１８ａとを接続・固定しておくことにより、第２円錐台接続部１８ｂを第１円錐台接続部１４ｂに装着して、移動ケーブル５２の重量を電気設備側接続部１４に分担させ、第１円錐台接続部１４ｂと第２円錐台接続部１８ｂの固定を行うことが可能となる。
【００３６】
本実施の形態においては、第１の実施の形態及び第２の実施の形態の場合と比較して、スイッチギヤ内の接続端子５０と接続される移動ケーブル５２との平面視距離が長くなり、電気設備側平板接続部１４ａと第１円錐台接続部１４ｂとの接続部分にはより大きなモーメントが掛かることとなるので必要に応じて補強されている。
【００３７】
その他の構成は第１の実施の形態と同様である。したがって、本実施の形態においても、第１円錐台接続部１４ｂと第２円錐台接続部１８ｂとの面接触により接続が行われ、第２円錐台接続部１８ｂは回転軸に対して３６０度回転可能である。したがって、移動ケーブルとスイッチギヤ内の接続端子とを簡単かつスムーズに接続することが可能であり、所定の電流を安全に流すことが可能である。
【００３８】
［第４の実施の形態］
第３の実施の形態は、第１の実施の形態の移動ケーブル接続用アダプタにおいて、ケーブル側接続部１６に第１円錐台接続部１６ｂとケーブル側平板接続部１６ａとの間に編組ケーブル２８を組み入れたものである。図４にその移動ケーブル接続用アダプタ１０の概略側面図を示す。但し、一部断面で示している。なお、移動ケーブル５２の芯線５２ａと絶縁物５２ｂと外被５２ｃの直径は概念的に示しており、このサイズに限られない。
【００３９】
編組ケーブル２８は、多数の撚り線を平形に編んだものであり、その形成された平板状のケーブルは或程度の可撓性を有する。編組ケーブル２８と第１円錐台接続部１６ｂ及びケーブル側平板接続部１６ａとの接続は溶接等により行った。したがって、移動ケーブル５２のケーブル端子５４が第１円錐台接続部１６ａの底面に対して垂直でなく傾いている、言い換えればその回転軸に対して角度を為している場合であっても、その角度ズレを編組ケーブル２８が吸収することが可能である。
【００４０】
したがって、第４の実施の形態に係る移動ケーブル接続用アダプタは、移動ケーブルのケーブル端子が第１円錐台接続部の底面に対して傾いている場合でも、移動ケーブルと電気設備内の接続端子とを容易に接続することが可能である。したがって、移動ケーブルとスイッチギヤ内の接続端子とを簡単かつスムーズに接続することが可能であり、作業時間の短縮化、安全化が図られることとなる。
【００４１】
なお、本発明は、上述の実施の形態に限定されるものではなく、本発明の趣旨を逸脱しない範囲で種々の変更が可能である。例えば、スイッチギヤ内の接続端子と移動ケーブルのケーブル端子との面の傾きを、第１円錐台接続部と第２円錐台接続部とにより吸収したが、一方を球又は半球体として、他方はそれを覆う中空の半球又は球帯としても良い。
【符号の説明】
【００４２】
１０  移動ケーブル接続用アダプタ
１２、１３、１４  電気設備側接続部
１２ｂ、１７ｂ、１８ｂ  第２円錐台接続部
１６、１７、１８  ケーブル側接続部
１３ｂ、１４ｂ、１６ｂ  第１円錐台接続部
１２ａ、１３ａ、１４ａ  電気設備側平板接続部
１６ａ、１７ａ、１８ａ  ケーブル側平板接続部
２０  雌ネジ部
２２  ボルト
２８  編組ケーブル
５０  スイッチギヤ内の接続端子
５２  移動ケーブル
５２ａ  芯線
５２ｂ  絶縁物
５２ｃ  外被
５４  ケーブル端子
５６  ボルト
５７  ナット
【図１】
2010279213.tif 000003
【図２】
2010279213.tif 000004
【図３】
2010279213.tif 000005
【図４】
2010279213.tif 000006
【図５】
2010279213.tif 000007